(57)【要約】【課題】本発明は浴室ユニットル−ムが配管若しくはエルボ部と干渉する際、この干渉を防止する構造を提案するものである。【解決手段】底面を構成する防水パン、天井を構成する天井パネル、側壁を構成する側面パネルを組み合わせてなる浴室ユニットル−ムであって、各種配管のエルボ部と干渉する部位に相当する側面パネル及び天井パネルを切断し、当該切断部位にボックス部材を取り付けて配管若しくはエルボ部のスぺ−スを保証する配管ボックスを構成したことを特徴とする浴室ユニットル−ムの配管干渉防止構造。３‥天井配管、３ａ‥天井配管のエルボ部、１０‥浴室ユニットル−ム、１１‥天井パネル、１２‥側面パネル、２０‥配管ボックス、２１‥ボックス部材、２１ａ、２１ｂ‥ボックス部材の垂直面、２１ｃ‥ボックス部材の傾斜面、Ｘ、Ｙ‥切断部。【選択図】  図２
2004218253.tif 000002
【特許請求の範囲】
【請求項１】
底面を構成する防水パン、天井を構成する天井パネル、側壁を構成する側面パネルを組み合わせてなる浴室ユニットル−ムであって、各種配管若しくはエルボ部と干渉する部位に相当する側面パネル及び天井パネルを切断し、当該切断部位にボックス部材を取り付けて配管若しくはエルボ部のスぺ−スを保証する配管ボックスを構成したことを特徴とする浴室ユニットル−ムの配管干渉防止構造。
【発明の詳細な説明】
【０００１】
【発明の属する技術分野】
本発明は浴室ユニットル−ムの側面構造に関するものであり、更に詳しくは、各種配管と天井や側面との間の干渉部の構造に係るものである。
【０００２】
【従来の技術】
集合住宅等にあって、通常は天井部には排気ダクト、給水・給湯管等が配置されており、これは単に水平に配置されるだけでなく、梁等を避けるためにエルボ部が形成されている。一方、浴室ユニットル−ムはスぺ−ス上できるだけコンパクトに納めることが望ましいが、浴室ユニットル−ムは前記した配管若しくはエルボ部と干渉してしまい、所定の位置に設置できないことがしばしばあり、配管若しくはエルボ部との干渉を避けて目的の場所より移動して設置することがあった。場合によっては目的の場所に設置するために、配管若しくはエルボ部と干渉しない程度のスケ−ルの小さい浴室ユニットル−ムを設置することともなっていた。
【０００３】
更に、近年においてはマンション等のリフォ−ムが広く行われているが、配管の位置を変えたために所望の浴室ユニットル−ムが設置できないとか、浴室ユニットル−ムを大きめのものにしようとしても配管との干渉によりそれができない等という問題が発生していた。
【０００４】
【発明が解決しようとする課題】
本発明は浴室ユニットル−ムが配管若しくはエルボ部と干渉する際、この干渉を防止する構造を提案するものである。
【０００５】
【課題を解決するための手段】
本発明の要旨は、底面を構成する防水パン、天井を構成する天井パネル、側壁を構成する側面パネルを組み合わせてなる浴室ユニットル−ムであって、各種配管若しくはエルボ部と干渉する部位に相当する側面パネル及び天井パネルを切断し、当該切断部位にボックス部材を取り付けて配管若しくはエルボ部のスぺ−スを保証する配管ボックスを構成した浴室ユニットル−ムの配管干渉防止構造である。
【０００６】
【発明の実施の形態】
本発明の特徴は配管の経路に当たる浴槽ユニットの天井及び側面を構成する各パネルを切り欠き、ここにボックス部材を取り付けて配管若しくはエルボ部のスぺ−スを保証する配管ボックスを構成したものである。ボックス部材は浴室ユニットル−ムの外側より当接接合され、或いはその内側より当接接合されるものであり、材料としては、ＦＲＰ、ＨＩＰＳ、ＡＢＳ等の樹脂、若しくは化粧鋼板であるが、特に限定されるものではない。
【０００７】
【実施例】
以下、本発明の浴室ユニットル−ムの配管干渉防止構造を図面をもって更に説明する。図１は集合住宅における建物と天井配管及び浴室ユニットル−ムとの関係を示したものである。浴室ユニットル−ムにあって、内部に装備される浴槽、側面に備えられるドア等は省略した。尚、この例ではエルボ部をもって説明するが、単に配管部位の干渉にあっても同様でありここでは説明を省略する。
【０００８】
１は建物の壁、３は天井配管を示し、建物の壁１の通口２を通って管３が外部に伸びている例である。さて、１０は浴室ユニットル−ムであり、１１は天井パネル、１２は側面パネル、１３は床パンであり、床パン１３の周囲のフランジ部に側面パネル１２が立設され、その側面パネル１２の頂部に天井パネル１１が取り付けられる。尚、通常は各パネルの裏面に補強のためにリブが縦横に備えられているが、図示しない。
【０００９】
さて、通常の浴室ユニットル−ム１０にあっては、同一長さの側面パネル１２をもって側壁が構成されているもので、全体的に見て直方体形状をなしている。しかるに、前述したように浴室ユニットル−ムはスぺ−スの有効利用の関係から、できるだけ壁１に近付けて設置（一点鎖線で示す）するのがよい。ただし、図に示すような場合、天井配管３のエルボ部３ａがあり、これが浴室ユニットル−ムは天井・側面と干渉してしまい、これ以上壁１に近付けることはできず、余分なスぺ−ス（Ｓ）を開けた状態で浴室ユニットル−ム１０を設置（二点鎖線で示す）しなくてはならなくなる。
【００１０】
しかるに、本発明の浴室ユニットル−ム１０は図２に示すように配管３のエルボ部３ａと干渉する位置（この例では浴室ユニットル−ムのコ−ナ−部１０ａ）に配管ボックス２０を構成したものであり、これによってエルボ部３ａがここに納まり、浴室ユニットル−ム１０はスぺ−スを無駄にすることなく望ましい位置に設置できることとなったものである。
【００１１】
図３はこのため、天井パネル１１にエルボ部３ａの太さ（Ｄ）を納める切断部（Ｘ）、側面パネル１２、１２にエルボ部３ａの長さ（Ｌ）が納まる切断部（Ｙ）を夫々設けたものであり、図４はこの切断部（Ｘ、Ｙ）に当設固着されるボックス部材２１の斜視図である。
【００１２】
即ち、この例は配管３のエルボ部３ａは浴室ユニットル−ム１０の直方体のコ−ナ−部１０ａとが干渉するものであって、このため、天井パネル１１をエルボ部３ａの太さ（Ｄ）が納まる分だけ切断（Ｘ）し、一方、エルボ部３ａの長さ（Ｌ）が納まる分だけコ−ナ−を構成する二枚の側面パネル１２を切断（Ｙ）して、かかる切断部位にエルボ部３ａを納めるスぺ−スを確保する。次いで、この切断部位（Ｘ、Ｙ）を塞ぐべくボックス部材２１をこの切断部位（Ｘ、Ｙ）に当接し、これを水密に固着してエルボ部３ａを納める配管ボックス部２０を浴室ユニットル−ム１０のコ−ナ−部１０ａに構成したものである。尚、両者の固着手段は公知のの接着剤、ボルト及びナット等任意の手段をもって固着されるものである。
【００１３】
この例ではボックス部材２１はＡＢＳ樹脂よりなり、エルボ部３ａが納まるように太さ（Ｄ）及びその長さ（Ｌ）分を囲む垂直面２１ａ、２１ｂが直角をなして構成され、更にその下端が傾斜面２１ｃとなした形状となっている。
【００１４】
尚、ボックス部材２１はかかる形状に限定されるわけではなく、エルボ部３ａが納まるものであれば採用できることは言うまでもない。又、天井パネル１１や側面パネル１２との固着に供するために、図５に示すようにボックス部２１にフランジ部２１ｄを備えたものでもよい。この例ではフランジ部２１ｄは天井パネル１１との固着に供されるが、側面パネル１２との固着用の図示しないフランジ部を備えたものであってもよい。
【００１５】
配管ボックス部２０は浴室ユニットル−ム１０のコ−ナ−部１０ａ以外にも設置可能であり、図６はボックス部材２１の他の例を示すもので、垂直面２１ａ、これと直角をなす一対の垂直面２１ｂ、その下端に傾斜面２１ｃをもってボックス部材２１が構成されたものである。
【００１６】
そして、図７に示すように天井パネル１１の中間部（エルボ部３ａに対応する部位）にはエルボ部３ａが納まるようにコ字状の切断部（Ｘ）がなされ、側面パネル１２にはエルボ部３ａの長さが納まるコ字状の切断（Ｙ）がなされるもので、ボックス部材２１はこの切断部（Ｘ、Ｙ）に固着される。これによって、浴室ユニットル−ム１０の中間部に配管ボックス部２０を形成することができる。勿論、このボックス部材２１に上記のフランジ部２１ｄ等を備えることができることは言うまでもない。
【００１７】
上記の例におけるボックス部材２１は、いずれも一体ものの構造であるが、場合によっては二つ以上の部材を組み合わせてボックス部材が構成されてもよいことは勿論である。
【００１８】
【発明の効果】
本発明は以上の通りであり、天井配管若しくはエルボ部との干渉を避けることができたものである。このため、浴室ユニットを所定の場所に設置することができ、浴室ユニットのサイズダウンを必要としないものである。即ち、配管経路に影響されることなく浴室ユニットの設置場所を選ぶことができ、例えば内装リフォ−ム時において浴室ユニットを任意の位置にしかもスぺ−スを無駄にすることなく設置することができたものである。
【図面の簡単な説明】
【図１】図１は天井配管及び浴室ユニットとの関係を示した図である。
【図２】図２は本発明の配管ボックスを用いた浴室ユニットの図である。
【図３】図３は浴室ユニットル−ムの天井パネル及び側面パネルの図である。
【図４】図４は本発明のボックス部材の斜視図である。
【図５】図５は本発明のボックス部材の他の例を示す斜視図である。
【図６】図６は本発明のボックス部材の更に他の例を示す斜視図である。
【図７】図７は浴室ユニットル−ムの天井パネルと側面パネルの他の例の図である。
【符号の説明】
１‥建物の壁、
３‥天井配管、
３ａ‥天井配管のエルボ部、
１０‥浴室ユニットル−ム、
１０ａ‥浴室ユニットル−ムのコ−ナ−部、
１１‥天井パネル、
１２‥側面パネル、
１３‥床パン、
２０‥配管ボックス、
２１‥ボックス部材、
２１ａ、２１ｂ‥ボックス部材の垂直面、
２１ｃ‥ボックス部材の傾斜面、
２１ｄ‥フランジ、
Ｄ‥エルボ部の太さ、
Ｌ‥エルボ部の長さ、
Ｓ‥スペ−ス、
Ｘ、Ｙ‥切断部。
【図１】
2004218253.tif 000003
【図２】
2004218253.tif 000004
【図３】
2004218253.tif 000005
【図４】
2004218253.tif 000006
【図５】
2004218253.tif 000007
【図６】
2004218253.tif 000008
【図７】
2004218253.tif 000009